【手続補正書】
【提出日】平成23年4月13日(2011.4.13)
【手続補正１】
【補正対象書類名】特許請求の範囲
【補正対象項目名】全文
【補正方法】変更
【補正の内容】
【特許請求の範囲】
【請求項１】
通信インターフェースを制御するホストとして機能する第１のモードと、該第１のモードによるホストにより制御されるデバイスとして機能する第２のモードとを有する第１の端末局と、前記第１のモードで動作する第２の端末局と、前記第２のモードで動作する第３の端末局とを具備する通信システムであって、
前記第２の端末局は、
接続中の端末局が前記第１の端末局であるか否かを判定する判定手段と、
前記判定手段により前記第１の端末局であると判定された端末局が前記第２のモードから前記第１のモードへ切り替わる際に、該端末局が通信帯域を取得できていない場合には、自身が取得している通信帯域の少なくとも一部を該第１の端末局に譲渡する制御手段と
を具備し、
前記第１の端末局は、
前記第２の端末局に前記第２のモードで接続している状態で前記第３の端末局から接続要求を受信した場合に、自身の動作状態を該第２のモードから前記第１のモードへ切り替える切替手段と、
前記切替手段による前記第１のモードへの切り替えに際して、前記第３の端末局との通信に使用するための通信帯域を取得できない場合に、前記第２の端末局から譲渡された通信帯域を該第３の端末局との通信帯域として取得する帯域取得手段と
を具備することを特徴とする通信システム。
【請求項２】
前記制御手段は、
前記判定手段により前記第１の端末局でないと判定された端末局には、自身が取得している通信帯域を譲渡しない
ことを特徴とする請求項１記載の通信システム。
【請求項３】
前記第１の端末局は、
前記切替手段による前記第１のモードへの切り替えに際して、前記第３の端末局との通信に使用するための通信帯域を取得できない場合に、前記第２の端末局に通信帯域の譲渡を要求する帯域譲渡要求手段
を更に具備し、
前記制御手段は、
前記帯域譲渡要求手段からの要求により前記第１の端末局が通信帯域を取得できていないと判定した場合に、自身が取得している通信帯域の少なくとも一部を該第１の端末局に譲渡する
ことを特徴とする請求項１又は２記載の通信システム。
【請求項４】
前記第１の端末局及び前記第３の端末局は、
通信帯域に係わる情報を含む報知信号を送信する送信手段
を更に具備し、
前記制御手段は、
前記送信手段からの報知信号に基づいて前記第１の端末局が通信帯域を取得できていないと判定した場合に、自身が取得している通信帯域の少なくとも一部を該第１の端末局に譲渡する
ことを特徴とする請求項１又は２記載の通信システム。
【請求項５】
前記制御手段は、
前記自身が取得している通信帯域の内、前記第１の端末局との通信に使用するために取得した通信帯域を該第１の端末局に譲渡する
ことを特徴とする請求項１乃至４のいずれか１項に記載の通信システム。
【請求項６】
前記通信帯域は、
前記第１のモードで動作する端末局により分散制御で管理される
ことを特徴とする請求項１乃至５のいずれか１項に記載の通信システム。
【請求項７】
通信インターフェースを制御するホストとして機能する第１のモードと、該第１のモードによるホストにより制御されるデバイスとして機能する第２のモードとを有する第１の端末局と、前記第１のモードで動作する第２の端末局と、前記第２のモードで動作する第３の端末局とを具備する通信システムにおける制御方法であって、
前記第２の端末局の判定手段が、接続中の端末局が前記第１の端末局であるか否かを判定する判定工程と、
前記第２の端末局の制御手段が、前記判定工程により前記第１の端末局であると判定された端末局が前記第２のモードから前記第１のモードへ切り替わる際に、該端末局が通信帯域を取得できていない場合には、自身が取得している通信帯域の少なくとも一部を該第１の端末局に譲渡する制御工程と、
前記第１の端末局の切替手段が、前記第２の端末局に前記第２のモードで接続している状態で前記第３の端末局から接続要求を受信した場合に、自身の動作状態を該第２のモードから前記第１のモードへ切り替える切替工程と、
前記第１の端末局の帯域取得手段が、前記切替工程による前記第１のモードへの切り替えに際して、前記第３の端末局との通信に使用するための通信帯域を取得できない場合に、前記第２の端末局から譲渡された通信帯域を該第３の端末局との通信帯域として取得する帯域取得工程と
を含むことを特徴とする通信システムにおける制御方法。
【請求項８】
通信インターフェースを制御するホストとして機能する第１のモードと、該第１のモードによるホストにより制御されるデバイスとして機能する第２のモードとを有する端末局であって、
前記第１のモードで動作する端末局に前記第２のモードで接続している状態で該第２のモードで動作する端末局からの接続要求を受信した場合に、自身の動作状態を該第２のモードから該第１のモードへ切り替える切替手段と、
前記切替手段による前記第１のモードへの切り替えに際して、前記接続要求元の端末局との通信に使用するための通信帯域を取得できない場合に、前記接続中の端末局から譲渡された通信帯域を該接続要求元の端末局との通信帯域として取得する帯域取得手段と
を具備することを特徴とする端末局。
【請求項９】
通信インターフェースを制御するホストとして機能する第１のモードで動作する端末局であって、
接続中の端末局が前記第１のモードと、該第１のモードによるホストにより制御されるデバイスとして機能する第２のモードとを有する端末局であるか否かを判定する判定手段と、
前記判定手段により前記第１のモードと前記第２のモードとを有する端末局であると判定された端末局が前記第２のモードから前記第１のモードへ切り替わる際に、該端末局が通信帯域を取得できていない場合には、自身が取得している通信帯域の少なくとも一部を該端末局に譲渡する制御手段と
を具備することを特徴とする端末局。
【請求項１０】
通信インターフェースを制御するホストとして機能する第１のモードと、該第１のモードによるホストにより制御されるデバイスとして機能する第２のモードとを有する端末局に内蔵されたコンピュータを、
前記第１のモードで動作する端末局に前記第２のモードで接続している状態で該第２のモードで動作する端末局からの接続要求を受信した場合に、自身の動作状態を該第２のモードから該第１のモードへ切り替える切替手段、
前記切替手段による前記第１のモードへの切り替えに際して、前記接続要求元の端末局との通信に使用するための通信帯域を取得できない場合に、前記接続中の端末局から譲渡された通信帯域を該接続要求元の端末局との通信帯域として取得する帯域取得手段
として機能させるためのプログラム。
【請求項１１】
通信インターフェースを制御するホストとして機能する第１のモードで動作する端末局に内蔵されたコンピュータを、
接続中の端末局が前記第１のモードと、該第１のモードによるホストにより制御されるデバイスとして機能する第２のモードとを有する端末局であるか否かを判定する判定手段、
前記判定手段により前記第１のモードと前記第２のモードとを有する端末局であると判定された端末局が前記第２のモードから前記第１のモードへ切り替わる際に、該端末局が通信帯域を取得できていない場合には、自身が取得している通信帯域の少なくとも一部を該端末局に譲渡する制御手段
として機能させるためのプログラム。
【手続補正２】
【補正対象書類名】明細書
【補正対象項目名】００３２
【補正方法】変更
【補正の内容】
【００３２】
また、本発明の一態様は、通信インターフェースを制御するホストとして機能する第１のモードと、該第１のモードによるホストにより制御されるデバイスとして機能する第２のモードとを有する第１の端末局と、前記第１のモードで動作する第２の端末局と、前記第２のモードで動作する第３の端末局とを具備する通信システムにおける制御方法であって、前記第２の端末局の判定手段が、接続中の端末局が前記第１の端末局であるか否かを判定する判定工程と、前記第２の端末局の制御手段が、前記判定工程により前記第１の端末局であると判定された端末局が前記第２のモードから前記第１のモードへ切り替わる際に、該端末局が通信帯域を取得できていない場合には、自身が取得している通信帯域の少なくとも一部を該第１の端末局に譲渡する制御工程と、前記第１の端末局の切替手段が、前記第２の端末局に前記第２のモードで接続している状態で前記第３の端末局から接続要求を受信した場合に、自身の動作状態を該第２のモードから前記第１のモードへ切り替える切替工程と、前記第１の端末局の帯域取得手段が、前記切替工程による前記第１のモードへの切り替えに際して、前記第３の端末局との通信に使用するための通信帯域を取得できない場合に、前記第２の端末局から譲渡された通信帯域を該第３の端末局との通信帯域として取得する帯域取得工程とを含むことを特徴とする。